【手続補正書】
【提出日】平成19年12月13日(2007.12.13)
【手続補正１】
【補正対象書類名】明細書
【補正対象項目名】特許請求の範囲
【補正方法】変更
【補正の内容】
【特許請求の範囲】
【請求項１】 ５〜９５重量％の少なくとも一つのアルカリ膨潤性コア‐シェル付加ポリマー（Ｉ）及び
９５〜５重量％の少なくとも一つのポリウレタン（ＩＩ）を含み、
ここでポリマー（Ｉ）及び（ＩＩ）について示された重量％の合計は常に１００重量％であるところの水性コーティング組成物であって、
該アルカリ膨潤性コア‐シェル付加ポリマー（Ｉ）が、エマルション重合により２以上の工程で製造されたコポリマーであり、第一工程での下記Ａの共重合及び引き続く工程での下記Bの共重合により得られた、架橋されていないアルカリ膨潤性のコア‐シェル付加ポリマー（Ｉ）であり、
Ａ）６０〜９５重量部（付加ポリマーの１００重量部を基準にして）の下記（ｉ）及び（ii）よりなるモノマー混合物Ａ
ｉ）６５〜１００モル％の下記の混合物
ａ）６０〜１００モル％の（シクロ）アルキル（メタ）アクリレート、ここで（シクロ）アルキル基は４〜１２個の炭素原子を含有する、及び
ｂ）０〜４０モル％のジ（シクロ）アルキルマレエート及び／又はジ（シクロ）アルキルフマレート、ここで（シクロ）アルキル基は４〜１２個の炭素原子を含有し、モノマー（ａ）および（ｂ）について示されたモル％の合計は常に１００モル％である、及び、
ii）０〜３５モル％の他の共重合性モノアルキレン性不飽和モノマー、ここでモノマー（ｉ）及び（ii）について示されたモル％の合計は常に１００モル％である、及び
Ｂ）５〜４０重量部（付加ポリマーの１００重量部を基準にして）の下記（iii）および（iv）よりなるモノマー混合物Ｂ
iii）１０〜６０モル％の（メタ）アクリル酸及び
iv）４０〜９０モル％の他の共重合性モノアルキレン性不飽和モノマー、ここでモノマー（iii）及び（iv）について示されたモル％の合計は常に１００モル％である、
但し（メタ）アクリル酸から誘導されるカルボン酸基は少なくとも部分的にイオン化されている、
かつポリウレタン（II）がポリウレタンポリウレアであるところの
上記水性コーティング組成物。
【請求項２】ポリウレタン（ＩＩ）が、
v）化学的に取り入れられたカーボネート基-Ｏ-ＣＯ-Ｏ-を、固形分１００ｇ当たり少なくとも２００ミリ当量、及び
vi）化学的に取り入れられたウレタン基-ＮＨ-ＣＯ-Ｏ-および化学的に取り入れられた尿素基-ＮＨ-ＣＯ-ＮＨ-を、固形分１００ｇ当たり合計で３２０ミリ当量以下
含むポリウレタンポリウレアであることを特徴とする特許請求の範囲第１項に記載の水性コーティング組成物。
【請求項３】顔料を含むことを特徴とする特許請求の範囲第１項〜第２項のいずれか一つに記載の水性コーティング組成物。
【請求項４】該顔料が金属顔料であることを特徴とする特許請求の範囲第３項に記載の水性コーティング組成物。
【請求項５】特許請求の範囲第１項〜第４項のいずれか一つに記載の水性コーティング組成物で基体をコーティングする工程を含む、基体上に多層コーティングを調製する方法。
【請求項６】該水性コーティング組成物がベースコートであることを特徴とする特許請求の範囲第５項に記載の方法。
【請求項７】自動車の再塗装において特許請求の範囲第１項〜第６項のいずれか一つに記載の水性コーティング組成物を使用する方法。
【手続補正２】
【補正対象書類名】明細書
【補正対象項目名】００１２
【補正方法】変更
【補正の内容】
【００１２】
モノマー混合物Ａにおける使用に好適な４〜１２個の炭素原子を有する（シクロ）アルキル基を有するモノまたはジ（シクロ）アルキルマレエート及び/又はフマレートの例としては、ジブチルマレエート、ジブチルフマレート、２-エチルヘキシルマレエート、２-エチルヘキシルフマレート、オクチルマレエート、イソボルニルマレエート、ドデシルマレエート、シクロヘキシルマレエート及びこれらの混合物が挙げられ得る。
【手続補正３】
【補正対象書類名】明細書
【補正対象項目名】００３４
【補正方法】変更
【補正の内容】
【００３４】
ヒドロキシポリカーボネートは実質的に線状であるべきであり、しかし若し所望ならば多官能性成分、特に低分子量ポリオールたとえばグリセリン、ヘキサン-１，２，６-トリオール、ブタン-１，２，４-トリオール、トリメチロールプロパン、ペンタエリスリトール、キニトール、マンニトール及びソルビトール、メチルグリコシド及び１，４，３，６-ジアンヒドロヘキシトールの導入により僅かに分岐されてもよい。
【手続補正４】
【補正対象書類名】明細書
【補正対象項目名】００３６
【補正方法】変更
【補正の内容】
【００３６】
任意的に使用される出発成分ｃ）は、３００より下の分子量を有する公知の低分子量化合物であり、ヒドロキシル及び／又はアミノ基を含有し、かつイソシアネート付加反応において少なくとも二官能性である。イソシアネート付加反応において二官能性である化合物（鎖延長剤）、イソシアネート付加反応において少なくとも三官能性である化合物（架橋剤）及び斯かるの混合物が、出発成分ｃ）として使用され得る。これら化合物の例としては、エチレングリコール、プロパン-１，２-及び-１，３-ジオール、ブタン-１，４-及び-１，３-ジオール、ヘキサン-１，６-ジオール、オクタン-１，８-ジオール、ネオペンチルグリコール、１，４-ビス-ヒドロキシメチルシクロヘキサン、２-メチル-プロパン-１，３-ジオール、２，２、４-トリメチルペンタン-１，３-ジオール、グリセリン、トリメチロールプロパン、トリメチロールエタン、その異性体ヘキサントリオール及びペンタエリスリトールのような低分子量多価アルコール；エチレンジアミン、１，２-及び１，３-ジアミノプロパン、１，３-、１，４-及び１，６-ジアミノ-ヘキサン、１，３-ジアミノ-２，２-ジメチル-プロパン、イソホロンジアミン、４，４´-ジアミノ-ジシクロヘキシルメタン、４，４-ジアミノ-３，３´-ジメチルジシクロヘキシルメタン、１，４-ビス（２-アミノ-プロプ-２-イル）-シクロヘキサン、ヒドラジン、ヒドラジド、及び斯かるジアミンとヒドラジンの混合物のような低分子量ジアミン；ジエチレントリアミン、トリエチレンテトラミン、ジプロピレントリアミン及びトリプロピレンテトラミンのような、より高官能性のポリアミン；アクリロニトリルの脂肪族又は脂環式ジアミンへの付加物の水素化生成物、好ましくはアクリロニトリル基のジアミン分子、例えば、ヘキサメチレンプロピレントリアミン、テトラメチレンプロピレントリアミン、イソホロンプロピレントリアミン又は１，３-シクロヘキサンプロピレントリアミン及び斯かるポリアミンの混合物への付加により得られるものが挙げられる。
【手続補正５】
【補正対象書類名】明細書
【補正対象項目名】００５６
【補正方法】変更
【補正の内容】
【００５６】
好適な硬化剤の例としては、アルデヒド例えばホルムアルデヒドと、サイテック社からのサイメル（Ｃｙｍｅｌ）３２８のようなメラミン、尿素、Ｎ，Ｎ´‐エチレンウレア、ジシアノジアミド及びベンゾグアナミンのようなアミノ又はアミド基含有化合物とを反応させることにより得られるＮ-メチロール及び／又はＮ-メチロールエーテル基含有アミノプラストが挙げられる。得られる化合物は好ましくは、メタノール、エタノール、ｎ-プロパノール、イソプロパノール、ｎ-ブタノール、イソブタノール、アミルアルコール、ヘキサノール又はこれらの混合物のような１〜６個の炭素原子を有するアルコールで全体的に又は部分的にエーテル化される。特に好ましい結果は、メラミン１分子当たり４〜６のメチロール基を有しかつ少なくとも３つのメチロール基がブタノールでエーテル化されているメチロールメラミン、又はホルムアルデヒドとＮ、Ｎ´-エチレンジウレアの縮合生成物のブタノールエーテル化物を使用するときに得ることができる。他の好適な硬化剤の例としては、ポリイソシアネート又は水分散性のブロックされたポリイソシアネート、たとえばヒドロキシカルボン酸例えばジメチロールプロピオン酸及び脂肪族又は芳香族カルボジイミドへのポリイソシアネートの、メチルエチルケトキシムでブロックされたイソシアネート基含有付加物が挙げられる。